(57)【要約】【課題】求めるマルチメディアファイルを容易に見つけることができ、ユーザにとって使い勝手の良いマルチメディアサーバを提供する。【解決手段】マルチメディアサーバ１１は、外部デバイスの接続を認識したとき、外部デバイス内の特定のディレクトリ構造を検出するディレクトリ構造検出手段４１と、特定のディレクトリ構造が検出されたとき、当該ディレクトリ構造の所定のフォルダ内にあるマルチメディアファイルの一覧を直接表示するファイル表示手段４２と、ファイル表示手段４２によるファイル一覧から選択されたマルチメディアファイルをインポートするファイルインポート手段４３と、インポートされたマルチメディアファイルを蓄積するストレージ手段４４と、ストレージ手段４４に蓄積されたマルチメディアファイルを再生するファイル再生手段４５と、ストレージ手段４４に蓄積されたファイルを管理するデータベース４６を備えている。【選択図】図１
2009303074.tif 000002
【特許請求の範囲】
【請求項１】
デジタルテレビに接続可能なマルチメディアサーバであって、
外部デバイス内の特定のディレクトリ構造を検出するディレクトリ構造検出手段と、
前記特定のディレクトリ構造が検出されたとき、当該ディレクトリ構造の所定のフォルダ内にあるマルチメディアファイルの一覧を表示するファイル表示手段とを備えることを特徴とするマルチメディアサーバ。
【請求項２】
前記ディレクトリ構造検出手段は、前記外部デバイスの接続を認識したとき、前記特定のディレクトリ構造の検出を実行することを特徴とする請求項１に記載のマルチメディアサーバ。
【請求項３】
前記ファイル表示手段上で選択された少なくとも一つのマルチメディアファイルをインポートするファイルインポート手段と、
前記インポートされたマルチメディアファイルを蓄積するストレージ手段と、
前記ストレージ手段に蓄積されたマルチメディアファイルを再生するファイル再生手段とをさらに備えることを特徴とする請求項１又は２に記載のマルチメディアサーバ。
【発明の詳細な説明】
【技術分野】
【０００１】
本発明は、マルチメディアサーバに関し、特に、動画、静止画、並びに、音楽の再生及び管理に特化した小型で操作性の高いマルチメディアサーバに関するものである。
【背景技術】
【０００２】
近年、デジタルコンテンツの普及により、個人が大量のデジタルコンテンツを保有し管理する時代となっている。通常、これらのデジタルコンテンツの管理はパソコンで行われるが、パソコンは汎用性が極めて高い反面、デジタルコンテンツの管理を簡単に行うことはできない。
【０００３】
パソコンを用いたデジタルコンテンツの管理に関しては、例えば特許文献１に記載のように、ストレージを共有することにより、同一コンテンツにアクセスが集中した場合でも最小限のコピーでサービス可能なストレージ共有型分散マルチメディアサーバシステムが提案されている。また、特許文献２には、複数のディスクドライブを備え、これら各ディスクドライブ（に装着されている記憶媒体）にデータを分散して格納することで、並列アクセスを可能としてアクセスの高速化を図ったマルチメディアサーバ用ディスクアレイ装置が開発されている。
【特許文献１】特開平１０−１３４４８５号公報
【特許文献２】特開平１０−１３３８２８号公報
【発明の開示】
【発明が解決しようとする課題】
【０００４】
ところで、ビデオカメラ、デジタルスチルカメラ等の外部デバイスにおいては、動画、静止画等のマルチメディアが所定のフォルダ内に保存され、フォルダはディレクトリ階層化されている。このような外部デバイス内をパソコン上で取り扱う場合、フォルダはディレクトリ階層順に表示される。しかしながら、一般家庭で使われるマルチメディアサーバの場合、ディレクトリ階層を表示すると、取り扱いに混乱が生じ、見たいファイルにたどり着くまでに時間がかかるという問題がある。特に、パソコンの知識があまりない人にとっては、そのディレクトリ階層表示のどこのフォルダに見たいファイルがあるか判断することができず、著しく使用しにくいという問題がある。
【０００５】
本発明は上記課題を解決するためになされたものであり、本発明の目的は、求めるマルチメディアファイルを容易に見つけることができ、ユーザにとって使い勝手の良いマルチメディアサーバを提供することにある。
【課題を解決するための手段】
【０００６】
上記課題を解決するため、本発明によるマルチメディアサーバは、デジタルテレビに接続可能なマルチメディアサーバであって、外部デバイス内の特定のディレクトリ構造を検出するディレクトリ構造検出手段と、特定のディレクトリ構造が検出されたとき、当該ディレクトリ構造の所定のフォルダ内にあるマルチメディアファイルの一覧を表示するファイル表示手段とを備えることを特徴とする。
【０００７】
ここで、マルチメディアファイルとは、動画ファイル、静止画ファイル、音楽ファイル又はこれらの複合ファイルであって、ファイルフォーマットは特に限定されないが、動画であればｍｐｇファイル、ａｖｉファイル等を挙げることができ、静止画であればｂｍｐファイル、ｊｐｇファイル、ｇｉｆファイル等を挙げることができ、音楽ファイルであればｗａｖファイル、ｍｐ３ファイル、ａａｃファイル、ｏｇｇファイル、ｍｉｄファイルを挙げることができる。
【０００８】
本発明によれば、所定の規格に準拠したデジタルビデオカメラやデジタルスチルカメラが有する特有のディレクトリ構造を検出した場合に、当該ディレクトリ構造内のマルチメディアが保存されている所定のフォルダに直接アクセスし、マルチメディアファイルの一覧を表示することとしたので、ユーザはマルチメディアファイルの保存先フォルダを探す必要はない。従って、操作が簡単で利便性の高いマルチメディアサーバを提供することができる。
【０００９】
本発明において、ディレクトリ構造検出手段は、外部デバイスの接続を認識したとき、前記特定のディレクトリ構造の検出を実行することが好ましい。これによれば、ユーザから特段の指示を与えなくても自動的にディレクトリ構造を認識し、当該フォルダ構造における所定のフォルダを開くことができる。
【００１０】
本発明によるマルチメディアサーバは、ファイル表示手段上で選択された少なくとも一つのマルチメディアファイルをインポートするファイルインポート手段と、インポートされたマルチメディアファイルを蓄積するストレージ手段と、ストレージ手段に蓄積されたマルチメディアファイルを再生するファイル再生手段とをさらに備えることが好ましい。これによれば、特定のディレクトリ構造の所定のフォルダ内にあるマルチメディアファイルの一覧から選ばれたいくつかのマルチメディアファイルをインポートし、蓄積し、再生することが可能なマルチメディアサーバを提供することができる。
【発明の効果】
【００１１】
このように、本発明によれば、特定の外部デバイスにおいてディレクトリ構造を順に表示せず、所定のフォルダ内にあるマルチメディアファイルの一覧を直接表示するので、ユーザにとって使い勝手の良いマルチメディアサーバを提供することができる。
【発明を実施するための最良の形態】
【００１２】
以下、添付図面を参照しながら、本発明の好ましい実施の形態について詳細に説明する。
【００１３】
図１は、本発明の好ましい実施形態によるマルチメディアサーバシステムの構成を示す略ブロック図である。
【００１４】
図１に示すように、このマルチメディアサーバシステム１０は、デジタルコンテンツの再生及び管理を行うマルチメディアサーバ１１と、家庭内ＬＡＮ１３を介してマルチメディアサーバ１１に接続されたタンクサーバ１４とを備えている。マルチメディアサーバ１１はデジタルハイビジョンテレビ１２に接続できる機能を備えている。その機能は、例えば、ＨＤＭＩ（High Definition Multimedia Interface）ケーブルを接続できる端子であってもよく、無線ＬＡＮであってもよい。無線ＬＡＮの場合、ＩＥＥＥ８０２．１１ａ／ｂ／ｇ又はＩＥＥＥ８０２．１１ｎであってもよく、また非圧縮でデータを送ることができるＷＨＤＩ（Wireless High-Definition Interface）であってもよい。家庭内ＬＡＮ１３はブロードバンドルータ１５等のホームゲートウェイを介してインターネット１６に接続されている。インターネット１６上には、マルチメディアサーバ１１内のファームウェアやアプリケーションプログラムを提供するサポートセンタ１７、デジタルコンテンツ自身或いはデジタルコンテンツのタグ情報を提供するコンテンツプロバイダ１８等が存在している。通常、家庭内ＬＡＮ１３にはパソコン１９が接続されているが、このパソコン１９からマルチメディアサーバ１１やタンクサーバ１４にアクセスすることも可能である。なお、この家庭内ＬＡＮはケーブル接続でもよいが、ＩＥＥＥ８０２．１１ａ／ｂ／ｇ、ＩＥＥＥ８０２．１１ｎ等の無線ＬＡＮで構成することもできる。
【００１５】
図２は、本発明の好ましい実施形態によるマルチメディアサーバ１１の外観構造を示す図であって、（ａ）はフロントパネル側の斜視図、（ｂ）はバックパネル側の斜視図である。
【００１６】
図２（ａ）及び（ｂ）に示すように、マルチメディアサーバ１１は、横置きボックス型の小型でシンプルな構造となっている。したがって、大型なデジタルハイビジョンテレビ１２の周囲の手狭なスペースにも設置が可能である。
【００１７】
図２（ａ）に示すように、マルチメディアサーバ１１の筐体のフロントパネルには電源スイッチボタン２１、赤外線受光パネル２３、メモリカードスロット２４、ＵＳＢ（Universal Serial Bus）端子２５ａが設けられている。電源スイッチボタン２１はＬＥＤ表示部を構成しており、このＬＥＤの点減状態によって電源の投入状態や動作状態の確認が可能である。マルチメディアサーバ１１には赤外線リモコン２６が付属しており、赤外線受光パネル２３はリモコン２６からのコマンド信号を受信することができる。メモリカードスロット２４は、ＳＤカード（登録商標）等の各種メモリカードのための専用スロットである。ＵＳＢ端子２５ａはＵＳＢケーブルを介してデジタルカメラ、デジタルビデオカメラ等のＵＳＢデバイス（外部デバイス）を接続可能である。
【００１８】
図２（ｂ）に示すように、マルチメディアサーバ１１の筐体のバックパネルには主電源スイッチ２２、ＬＡＮポート２７、ＨＤＭＩ端子２８、コンポジットビデオ端子２９ａ、ステレオオーディオ端子２９ｂ、S-Video端子２９ｃ、SPDIF端子２９ｄ、ＵＳＢ端子２５ｂ等の各種端子が設けられている。マルチメディアサーバ１１はＬＡＮポート２７を介してＬＡＮ１３に接続可能である。また、マルチメディアサーバ１１はＨＤＭＩ端子２８に接続されたＨＤＭＩケーブル２８ａ（図１参照）を介してデジタルハイビジョンテレビ１２に接続可能である。
【００１９】
図３は、マルチメディアサーバ１１の内部構成を示す略ブロック図である。
【００２０】
図３に示すように、マルチメディアサーバ１１は、ＣＰＵ３１、メモリ３２、グラフィックプロセッサ３３、オーディオプロセッサ３４、ハードディスクドライブ３５、ネットワークインターフェース３６、無線ネットワークインターフェース３７、ＵＳＢインターフェース３８、メモリカードスロット３９を備えている。マルチメディアサーバ１１では専用ＯＳが使用されるのでＣＰＵ３１の負荷が少なく、よってパソコンよりも低スペックのＣＰＵを使用することができる。
【００２１】
ハードディスクドライブ３５にはマルチメディアファイルが格納されるほか、マルチメディアファイルを管理するためのデータベース４６も記録されている。さらに、ハードディスクドライブ３５にはマルチメディアサーバ１１の動作に必要なＯＳ等のファームウェアも記録されており、これらは電源投入時にロードされる。ハードディスクドライブ３５はできるだけ大容量であることが好ましく、例えば３００〜５００ＧＢ程度の記録容量を有している。本実施形態のマルチメディアサーバ１１は有線によるネットワークインターフェース３６のみならず無線ネットワークインターフェース３７を有しているため、有線ＬＡＮを介したネットワーク接続の他、無線ＬＡＮ接続も可能である。特に、デジタルカメラやデジタルビデオカメラが無線ＬＡＮに対応している場合には、無線ＬＡＮ経由でのデータの受け渡しも可能である。
【００２２】
図４は、マルチメディアサーバ１１の機能ブロック図である。
【００２３】
図４に示すように、マルチメディアサーバ１１は、図３に示したハードウェアとソフトウェアとの協働によって、外部デバイス内の特定のディレクトリ構造を検出するディレクトリ構造検出手段４１と、特定のディレクトリ構造が検出されたとき、当該ディレクトリ構造の所定のフォルダ内にあるマルチメディアファイルの一覧を直接表示するファイル表示手段４２と、ファイル表示手段４２によるマルチメディアファイルの一覧から選択されたマルチメディアファイルをインポートするファイルインポート手段４３と、インポートされたマルチメディアファイルを蓄積するストレージ手段４４と、ストレージ手段４４に蓄積されたマルチメディアファイルを再生するファイル再生手段４５と、ストレージ手段４４に蓄積されたファイルを管理するデータベース４６を構成している。ディレクトリ構造検出手段４１によるディレクトリ構造の検出は、外部デバイスの接続を認識したときに開始されるが、それ以外の場合に開始されてもかまわない。
【００２４】
本実施形態のマルチメディアサーバシステム１０が取り扱うマルチメディアファイルは主として動画、静止画（写真）、及び音楽の３種類である。これらのファイルサイズは通常でも非常に大きいが、高品質になるほどさらに大きくなるという性質を有している。マルチメディアサーバ１１は、これらのマルチメディアファイルを管理するためのデータベース４６を有している。データベースで管理されるマルチメディアファイルの情報は、コンテンツのインポート時に当該コンテンツから抽出されるか、或いはインターネット１６上のコンテンツプロバイダ１８にアクセスして取得されるか、或いは、ユーザの直接入力により取得されるものである。
【００２５】
図５は、データベース４６で管理されるマルチメディアファイルの情報を示す表である。
【００２６】
図５に示すように、マルチメディアファイルの情報は、大きく４種類に大別することができる。「インポート情報」５１、「コンテンツ情報」５２、「再生情報」５３、及び「付加情報」５４である。このうち、「インポート情報」５１は、マルチメディアファイルのインポート時に得られる情報であり、実際のファイル名を示す「ファイル名」５１ａ、マルチメディアサーバ１１内（或いはタンクサーバ１４内）のマルチメディアファイルの格納位置を示す「格納場所」５１ｂ、実際のファイルサイズを示す「サイズ」５１ｃ、及びマルチメディアファイルをインポートした年月日及び時刻を示す「インポート日時」５１ｄである。
【００２７】
「コンテンツ情報」５２としては、「コンテンツタイプ」５２ａ、「プロファイル」５２ｂ、「解像度」５２ｃ、「長さ」５２ｄ、「ビットレート」５２ｅ、「タイトル名」５２ｆ、「アーティスト名」５２ｇ、「アルバム名」５２ｈ、「ジャンル」５２ｉ、「制作年月日」５２ｊを挙げることができる。「コンテンツタイプ」５２ａは、動画、静止画、又は音楽のいずれかを示す情報であり、「プロファイル」５２ｂはファイルのフォーマット情報（MP3、WMA、WMV等）を示す情報である。また、「解像度」４２ｇは、動画、静止画における品質情報であり、「長さ」５２ｃは、動画、音楽における時間情報であり、「ビットレート」５２ｄは、動画、音楽における品質情報である。また、「タイトル名」５２ｅ、「アーティスト名」５２ｆ、「アルバム名」５２ｇ、「ジャンル」５２ｈ、「制作年度」５２ｉは、いわゆるマルチメディアファイルのタグ情報である。
【００２８】
「再生情報」５３としては、「再生回数」５３ａと「再生開始位置」５３ｂを挙げることができる。「再生回数」５３ａはユーザがコンテンツを再生した回数を示すものであり、「再生開始位置」５３ｂは前回再生の途中で再生が中断された場合時間軸の再生位置情報である。つまり、レジューム機能で使用される再生再開時間位置情報であり、主として動画で使用されるものである。
【００２９】
また、「付加情報」５４としては、「お気に入りランキング」５４ａを挙げることができる。「お気に入りランキング」５４ａは、ユーザによるコンテンツの評価を例えば５段階で示したものであり、ユーザが任意に設定できる項目である。
【００３０】
これらの情報はマルチメディアファイルごとに管理されるべき情報であり、データベース４６に記録され、適時更新されるものである。
【００３１】
図６（ａ）及び（ｂ）は、外部デバイスのディレクトリ構造の一例を示す表である。
【００３２】
図６（ａ）に示すように、ハンディーカム等のＡＶＣＨＤ規格に準拠する外部デバイスでは、ルートディレクトリに「ＰＲＩＶＡＴＥ」という名称のフォルダが設けられ、その下層に「ＡＶＣＨＤ」フォルダが設けられ、さらにその下層に「ＡＶＣＨＤＴＮ」フォルダ及び「ＢＤＭＶ」フォルダが設けられている。そして、動画ファイル（ＦＩＬＥ１，２，・・・）は「ＢＤＭＶ」フォルダ内に保存されている。
【００３３】
また図６（ｂ）に示すように、ＪＥＩＤＡで標準化されたデジタルカメラ等の外部デバイスでは、ルートディレクトリに「ＤＣＩＭ」というフォルダが設けられ、「ＤＣＩＭ」フォルダの下層に例えば「１００ＣＤＰＦＰ」（"ＣＤＰＦＰ"の部分は外部デバイスごとに異なる）という名称のフォルダが設けられ、静止画ファイル（ＦＩＬＥ１，２，・・・）はこの「１００ＣＤＰＦＰ」フォルダ内に保存されている。
【００３４】
このように、外部デバイスのディレクトリ構造には一定のルールがあるが、そのルールは外部デバイスの種類によって異なる。そのため本実施形態においては、外部デバイスの特定のディレクトリ構造を検出し、特定のディレクトリ構造における所定のフォルダ内にあるマルチメディアファイルの一覧を直接表示するようにしている。つまり、ＡＶＣＨＤ規格に準拠する外部デバイスの場合には、「ＢＤＭＶ」フォルダ内の動画ファイルリストを表示し、ＪＥＩＤＡ規格に準拠する外部デバイスの場合には、「１００ＣＤＰＦＰ」フォルダ内の静止画ファイルリストを表示するものである。
【００３５】
次に、図７のフローチャートを参照しながら、マルチメディアサーバ１１の動作について詳細に説明する。
【００３６】
まず、ビデオカメラ等の外部デバイスがマルチメディアサーバ１１接続されると（ステップＳ１１Ｙ）、マルチメディアサーバ１１はアクティブになり、ディスプレイに「インポート方法選択画面」が表示される（ステップＳ１２）。
【００３７】
インポート方法選択画面では、「自動インポート」か「手動インポート」を選択することができる。「自動インポート」が選択された場合には（ステップＳ１３Ｙ）、外部デバイス内のファイルとマルチメディアサーバ１１内に蓄積されているファイルとを比較し、未だインポートされていないマルチメディアファイルが自動的に選択される（ステップＳ１４）。一方、「手動インポート」が選択された場合には（ステップＳ１３Ｎ）、外部デバイス内のマルチメディアファイルの一覧が表示されるので（ステップＳ１７〜Ｓ２０）、ユーザは、インポートしたいファイルを自由に選択することができる。
【００３８】
このとき、マルチメディアサーバ１１は、外部デバイス内のディレクトリ構造を順に表示せず、所定のフォルダ内にあるマルチメディアファイルの一覧を直接表示する。具体的には、ＡＶＣＨＤ規格のディレクトリ構造かどうかを判断し（ステップＳ１５）、これに該当する場合には「ＢＤＭＶ」フォルダ内の動画ファイルの一覧を直接表示する（ステップＳ１５Ｙ、Ｓ１６）。次に、ＪＥＩＤＡ規格に準拠する外部デバイスかどうかを判断し（ステップＳ１５Ｎ、ステップＳ１７）、該当する場合には「１００ＣＤＰＦＰ」フォルダ内の静止画ファイルの一覧を表示する（Ｓ１７Ｙ、Ｓ１８）。さらに、いずれの規格にも該当しない場合には、ルートディレクトリ内のフォルダ及びファイルを表示する（ステップＳ１７Ｎ、ステップＳ１９）。
【００３９】
図８は、ファイル一覧画面の一例を示す模式図である。
【００４０】
図８に示すように、ファイル一覧画面８０には、ファイルのアイコンイメージ８１、ファイル名８２、ファイルの作成年月日８３等が表示される。ユーザがこの中から一又は複数のファイルを選択し、「インポート」ボタン８４をクリックすると、インポートが開始される。「キャンセル」ボタン８５がクリックされた場合には、インポートが中止される。ディレクトリ表示部８６には現在開かれているフォルダ名が表示されており、この場合、「ＢＤＶ」フォルダが開かれていることが分かる。
【００４１】
このようにして表示されたファイル一覧画面８０の中からインポート対象のファイルが選択されると（ステップＳ２０、Ｓ２１）、ファイルのインポートが実行され（ステップＳ２２）、外部デバイス内のマルチメディアファイルはマルチメディアサーバ１１内のストレージ手段４４に蓄積される。なお、インポートの際は、コンテンツを再生しながらインポートしてもよく、コンテンツを再生せずインポートのみを行ってもよい。
【００４２】
以上説明したように、本実施形態によれば、ディレクトリ構造を順に表示せず、所定のフォルダ内にあるマルチメディアファイルの一覧を直接表示するので、ユーザはマルチメディアファイルがディレクトリ構造のどの階層にあるのかを意識する必要はなく、利便性の高いシステムを実現することができる。
【００４３】
以上、本発明をその好ましい実施形態に基づき説明したが、本発明は上記実施形態に限定されることなく、本発明の趣旨を逸脱しない範囲内で種々の変更を加えても良いことは言うまでもない。
【００４４】
例えば、上記実施形態においては、外部デバイス内の特定のディレクトリ構造の種類として、ＡＶＣＨＤ規格とＪＥＩＤＡ規格の２つを挙げたが、本発明はこれらに限定されるものではなく、種々のディレクトリ構造に対応することができ、それら全てのディレクトリ構造を検出することができる。
【００４５】
また、上記実施形態においては、デジタルカメラ等の外部デバイスと接続するための外部インターフェースとしてＵＳＢを例に挙げたが、本発明はＵＳＢに限定されるものではなく、種々のインターフェースを利用することができる。
【００４６】
また、上記実施形態においては、図３に示したように、ストレージ手段としてハードディスクドライブ３５を挙げたが、フラッシュメモリ等の半導体メモリを使用してもよく、ＤＶＤ、ブルーレイディスク等の光ディスク装置を使用してもよく、これらのストレージ手段を組み合わせて使用してもよい。
【図面の簡単な説明】
【００４７】
【図１】図１は、本発明の好ましい実施形態によるマルチメディアサーバシステムの構成を示す略ブロック図である。
【図２】図２は、本発明の好ましい実施形態によるマルチメディアサーバ１１の外観構造を示す図であって、（ａ）はフロントパネル側の斜視図、（ｂ）はバックパネル側の斜視図である。
【図３】図３は、マルチメディアサーバ１１の内部構成を示す略ブロック図である。
【図４】図４は、マルチメディアサーバ１１の機能ブロック図である。
【図５】図５は、データベースで管理されるマルチメディアファイルの情報を示す表である。
【図６】図６（ａ）及び（ｂ）は、マルチメディアファイルのディレクトリ構造の一例を示す表であって、（ａ）はＡＶＣＨＤ規格に準拠する外部デバイス、（ｂ）ＪＥＩＤＡ規格に準拠する外部デバイスについて示すものである。
【図７】図７は、マルチメディアサーバ１１の動作を説明するためのフローチャートである。
【図８】図８は、ファイル一覧画面の一例を示す模式図である。
【符号の説明】
【００４８】
１０    マルチメディアサーバシステム
１１    マルチメディアサーバ
１２    デジタルハイビジョンテレビ
１３    ＬＡＮ
１４    タンクサーバ
１５    ブロードバンドルータ
１６    インターネット
１７    サポートセンタ
１８    コンテンツプロバイダ
１９    パソコン
２１    電源スイッチボタン
２２    主電源スイッチ
２３    赤外線受光パネル
２４    メモリカードスロット
２５ａ，２５ｂ    ＵＳＢ端子
２６    赤外線リモコン
２７    ＬＡＮポート
２８    ＨＤＭＩ端子
２８ａ    ＨＤＭＩケーブル
２９ａ    コンポジットビデオ端子
２９ｂ    ステレオオーディオ端子
２９ｃ    S-Video端子
２９ｄ    SPDIF端子
３２    メモリ
３３    グラフィックプロセッサ
３４    オーディオプロセッサ
３５    ハードディスクドライブ
３６    ネットワークインターフェース
３７    無線ネットワークインターフェース
３８    インターフェース
３９    メモリカードスロット
４１    ディレクトリ構造検出手段
４２    ファイル表示手段
４３    ファイルインポート手段
４４    ストレージ手段
４５    ファイル再生手段
４６    データベース
５１    インポート情報
５２    コンテンツ情報
５３    再生情報
５４    付加情報
８０    ファイル一覧画面
８１    アイコンイメージ
８２    ファイル名
８３    作成年月日
８４    インポートボタン
８５    キャンセルボタン
８６    ディレクトリ表示部
【図１】
2009303074.tif 000003
【図２】
2009303074.tif 000004
【図３】
2009303074.tif 000005
【図４】
2009303074.tif 000006
【図５】
2009303074.tif 000007
【図６】
2009303074.tif 000008
【図７】
2009303074.tif 000009
【図８】
2009303074.tif 000010